(57)【要約】  音声放出孔を有し内部空間が配置空間として形成された外筐と、配置空間に配置され音声放出孔を介して外部へ向けて音声を出力するスピーカーとを備え、衣服に取り付けられたホルダーに着脱可能にされた。これにより、不使用時やメンテナンス時にはホルダーから取り外すことができ、故障や破損が生じ難く、メンテナンス作業における作業性の向上も図られ、使い勝手の向上を図ることができる。
2020162041.tif 000002
【特許請求の範囲】
【請求項１】
音声放出孔を有し内部空間が配置空間として形成された外筐と、
前記配置空間に配置され前記音声放出孔を介して外部へ向けて音声を出力するスピーカーとを備え、
衣服に取り付けられたホルダーに着脱可能にされた
音響出力装置。
【請求項２】
前記ホルダーに装着された状態において肩の上側に配置される
請求項１に記載の音響出力装置。
【請求項３】
鎖骨の後側に位置する窪みの後側に配置される
請求項２に記載の音響出力装置。
【請求項４】
前記ホルダーに対して上下方向において着脱可能にされた
請求項２に記載の音響出力装置。
【請求項５】
前記ホルダーに凹状の配置部が形成され、
前記配置部に一部が挿入された状態で配置される
請求項１に記載の音響出力装置。
【請求項６】
前記配置部に挿入された状態において前記音声放出孔の放出口が前記配置部の外側に位置される
請求項５に記載の音響出力装置。
【請求項７】
前記ホルダーに前記外筐を前記配置部の開口方向と反対方向から押さえる押さえ部が設けられた
請求項５に記載の音響出力装置。
【請求項８】
左右方向において非対称な形状に形成された
請求項１に記載の音響出力装置。
【請求項９】
左用と右用の一対が設けられ、
左用と右用において左右対称な向きで前記ホルダーに装着される
請求項８に記載の音響出力装置。
【請求項１０】
前記外筐の外面部が平面部と前記平面部の外周に連続する曲面部とによって構成された
請求項１に記載の音響出力装置。
【請求項１１】
前記外筐と前記ホルダーの一方にマグネットが取り付けられ他方に磁性金属板が取り付けられ、
前記磁性金属板が前記マグネットに吸着された状態で前記ホルダーに装着される
請求項１に記載の音響出力装置。
【請求項１２】
前記マグネットが前記外筐に取り付けられ、
前記磁性金属板が前記ホルダーに取り付けられた
請求項１１に記載の音響出力装置。
【請求項１３】
前記外筐が長手方向と短手方向を有する形状に形成され、
前記マグネットが前記外筐の長手方向に離隔して複数設けられた
請求項１２に記載の音響出力装置。
【請求項１４】
前記ホルダーに対する着脱方向が厚み方向にされ、
厚み方向に直交する２方向がそれぞれ長さ方向及び幅方向にされ、
厚み方向における大きさが長さ方向及び幅方向における大きさより小さくされた
請求項１に記載の音響出力装置。
【請求項１５】
前記配置空間にバッテリーが配置され、
前記バッテリーの厚み方向が前記外筐の厚み方向に一致された
請求項１に記載の音響出力装置。
【請求項１６】
前記配置空間に複数の回路基板が配置され、
少なくとも一つの前記回路基板の厚み方向が前記外筐の厚み方向に一致された
請求項１５に記載の音響出力装置。
【請求項１７】
一つの前記回路基板が前記外筐の厚み方向に対して傾斜した状態で配置された
請求項１６に記載の音響出力装置。
【請求項１８】
少なくとも一つの前記回路基板と前記バッテリーと前記スピーカーとが前記外筐の厚み方向に直交する方向において離隔して配置された
請求項１６に記載の音響出力装置。
【請求項１９】
前記音声放出孔が前記外筐の厚み方向及び厚み方向に直交する方向に対してともに傾斜された
請求項１に記載の音響出力装置。
【請求項２０】
前記外筐に釦配置孔が形成され、
前記釦配置孔に操作部が配置され、
前記外筐における表面の少なくとも一部に布製の保護カバーが貼り付けられ、
前記操作部が前記保護カバーによって覆われた
請求項１に記載の音響出力装置。
【発明の詳細な説明】
【技術分野】
【０００１】
本技術は外筐の内部にスピーカーが配置された音響出力装置についての技術分野に関する。
【背景技術】
【０００２】
スピーカーから音声の出力が行われる音響出力装置があり、このような音響出力装置には、衣服に取り付けられ、衣服を身に付けた状態で使用されるタイプがある（例えば、特許文献１参照）。【０００３】
特許文献１に記載された音響出力装置は、防水型の一対のスピーカーが予め衣服における左右の肩部にそれぞれ取り付けられ、一対のスピーカーが配線によって接続され、一方のスピーカーがそれぞれ付帯装置として機能するアンプと受信機とバッテリーに配線によって接続されている。アンプと受信機とバッテリーは、例えば、衣服のポケット等に挿入された状態で使用される。
【先行技術文献】
【特許文献】
【０００４】
【特許文献１】特開２００３−２６８６０９号公報
【発明の概要】
【発明が解決しようとする課題】
【０００５】
ところで、上記のような衣服を身に付けた状態で使用される音響出力装置において、衣服を洗濯する場合があるが、この場合に音響出力装置が洗濯時の衝撃等によって故障したり破損したりするおそれがある。また、故障に伴うメンテナンスを行う場合にも衣服に取り付けられたままの状態でメンテナンスを行う必要が生じ、メンテナンス作業における作業性も損なわれる。【０００６】
従って、このような故障や破損のおそれがあったり、メンテナンス作業における作業性が損なわれることにより、使い勝手の低下を来す可能性がある。【０００７】
そこで、本技術音響出力装置は、使い勝手の向上を図ることを目的とする。
【課題を解決するための手段】
【０００８】
第１に、本技術に係る音響出力装置は、音声放出孔を有し内部空間が配置空間として形成された外筐と、前記配置空間に配置され前記音声放出孔を介して外部へ向けて音声を出力するスピーカーとを備え、衣服に取り付けられたホルダーに着脱可能にされたものである。【０００９】
これにより、不使用時やメンテナンス時に音響出力装置をホルダーから取り外すことが可能になる。【００１０】
第２に、上記した音響出力装置においては、前記ホルダーに装着された状態において肩の上側に配置されることが望ましい。【００１１】
これにより、肩は身体を動かしたときに大きく変位しない部分であると共に耳に近い部分であるため、音響出力装置が身体を動かしたときに大きく変位せず耳に近い位置に配置される。【００１２】
第３に、上記した音響出力装置においては、鎖骨の後側に位置する窪みの後側に配置されることが望ましい。【００１３】
これにより、ホルダーに配置された状態において向きが変化し難い。【００１４】
第４に、上記した音響出力装置においては、前記ホルダーに対して上下方向において着脱可能にされることが望ましい。【００１５】
これにより、手を上下に動かしてホルダーに対する音響出力装置の肩に対する着脱を行うことが可能になる。【００１６】
第５に、上記した音響出力装置においては、前記ホルダーに凹状の配置部が形成され、前記配置部に一部が挿入された状態で配置されることが望ましい。【００１７】
これにより、一部が配置部に挿入された状態で音響出力装置がホルダーに装着される。【００１８】
第６に、上記した音響出力装置においては、前記配置部に挿入された状態において前記音声放出孔の放出口が前記配置部の外側に位置されることが望ましい。【００１９】
これにより、音響出力装置が配置部に挿入された状態において音声放出孔の放出口がホルダーによって閉塞されない。【００２０】
第７に、上記した音響出力装置においては、前記ホルダーに前記外筐を前記配置部の開口方向と反対方向から押さえる押さえ部が設けられることが望ましい。【００２１】
これにより、音響出力装置が配置部に挿入されると共に外筐が押さえ部によって配置部の開口方向と反対方向から押さえられた状態でホルダーに装着される。【００２２】
第８に、上記した音響出力装置においては、左右方向において非対称な形状に形成されることが望ましい。【００２３】
これにより、形状によってホルダーに装着する向きを認識することが可能になる。【００２４】
第９に、上記した音響出力装置においては、左用と右用の一対が設けられ、左用と右用において左右対称な向きで前記ホルダーに装着されることが望ましい。【００２５】
これにより、向きによって左右の何れかのホルダーに装着される音響出力装置であるかを認識することが可能になる。【００２６】
第１０に、上記した音響出力装置においては、前記外筐の外面部が平面部と前記平面部の外周に連続する曲面部とによって構成されることが望ましい。【００２７】
これにより、外筐の外面に角張った部分が形成されず、音響出力装置を把持したときに違和感が生じ難い。【００２８】
第１１に、上記した音響出力装置においては、前記外筐と前記ホルダーの一方にマグネットが取り付けられ他方に磁性金属板が取り付けられ、前記磁性金属板が前記マグネットに吸着された状態で前記ホルダーに装着されることが望ましい。【００２９】
これにより、マグネットと磁性金属板が近付くことにより音響出力装置がホルダーに装着され、マグネットと磁性金属板が離れることにより音響出力装置がホルダーから取り外される。【００３０】
第１２に、上記した音響出力装置においては、前記マグネットが前記外筐に取り付けられ、前記磁性金属板が前記ホルダーに取り付けられることが望ましい。【００３１】
これにより、音響出力装置がホルダーに装着されていない状態において衣服側にマグネットが存在しない。【００３２】
第１３に、上記した音響出力装置においては、前記外筐が長手方向と短手方向を有する形状に形成され、前記マグネットが前記外筐の長手方向に離隔して複数設けられることが望ましい。【００３３】
これにより、外筐の長手方向に離隔して配置された複数のマグネットに磁性金属板が吸着されることにより音響出力装置がホルダーに装着される。【００３４】
第１４に、上記した音響出力装置においては、前記ホルダーに対する着脱方向が厚み方向にされ、厚み方向に直交する２方向がそれぞれ長さ方向及び幅方向にされ、厚み方向における大きさが長さ方向及び幅方向における大きさより小さくされることが望ましい。【００３５】
これにより、着脱方向に一致する厚み方向の大きさが長さ方向及び幅方向における大きさより小さい。【００３６】
第１５に、上記した音響出力装置においては、前記配置空間にバッテリーが配置され、前記バッテリーの厚み方向が前記外筐の厚み方向に一致されることが望ましい。【００３７】
これにより、配置空間の配置スペースの有効活用を図り大きなバッテリーを配置空間に配置することが可能になる。【００３８】
第１６に、上記した音響出力装置においては、前記配置空間に複数の回路基板が配置され、少なくとも一つの前記回路基板の厚み方向が前記外筐の厚み方向に一致されることが望ましい。【００３９】
これにより、少なくとも一つの回路基板とバッテリーの厚み方向が一致される。【００４０】
第１７に、上記した音響出力装置においては、一つの前記回路基板が前記外筐の厚み方向に対して傾斜した状態で配置されることが望ましい。【００４１】
これにより、一つの回路基板は厚み方向が外筐の厚み方向に対して異なる方向にされた状態で配置空間に配置されるため、外筐の厚み方向と厚み方向に直交する方向における大きさの２方向の大きさが過度に大きくなることがない。【００４２】
第１８に、上記した音響出力装置においては、少なくとも一つの前記回路基板と前記バッテリーと前記スピーカーとが前記外筐の厚み方向に直交する方向において離隔して配置されることが望ましい。【００４３】
これにより、少なくとも一つの回路基板とバッテリーとスピーカーが外筐の厚み方向において重ならない状態で配置される。【００４４】
第１９に、上記した音響出力装置においては、前記音声放出孔が前記外筐の厚み方向及び厚み方向に直交する方向に対してともに傾斜されることが望ましい。【００４５】
これにより、音声放出孔における放出口の外筐に対する位置を任意の位置にすることが可能になる。【００４６】
第２０に、上記した音響出力装置においては、前記外筐に釦配置孔が形成され、前記釦配置孔に操作部が配置され、前記外筐における表面の少なくとも一部に布製の保護カバーが貼り付けられ、前記操作部が前記保護カバーによって覆われることが望ましい。【００４７】
これにより、操作部が露出されない。
【図面の簡単な説明】
【００４８】
【図１】図２乃至図１２と共に本技術音響出力装置の実施の形態を示すものであり、本図は、人体の各部を説明する図である。
【図２】音響出力装置がホルダーから取り外されている状態を示す斜視図である。
【図３】音響出力装置がホルダーに装着された状態を示す斜視図である。
【図４】音響出力装置がホルダーに装着された状態を概念的に示す側面図である。
【図５】音響出力装置の斜視図である。
【図６】ケース体からカバー体と保護ラバーを分離した状態で示す音響出力装置の斜視図である。
【図７】音響出力装置の分解斜視図である。
【図８】図５のＶＩＩＩ−ＶＩＩＩ線に沿う断面図である。
【図９】図５のＩＸ−ＩＸ線に沿う断面図である。
【図１０】カバー体と保護ラバーを取り外した状態で各部の位置関係を概念的に示す平面図である。
【図１１】押さえ部を有するホルダーと音響出力装置を示す斜視図である。
【図１２】押さえ部を有するホルダーに音響出力装置が装着された状態を概念的に示す側面図である。
【発明を実施するための形態】
【００４９】
以下に、本技術音響出力装置を実施するための形態を添付図面に従って説明する。
【００５０】
尚、以下に示す音響出力装置は、衣服に取り付けられたホルダーに装着されて肩の上側に配置される。以下の説明にあっては、肩に配置される向きで音響出力装置における前後左右上下の方向を示すものとする。
【００５１】
但し、以下に示す前後上下左右の方向は説明の便宜上のものであり、本技術の実施に関しては、これらの方向に限定されることはない。
【００５２】
＜人体＞
先ず、人体について説明する（図１参照）。
【００５３】
人体１００の肩１０１は、左右方向において腕１０２と胴体１０３の付け根部分１０４から首１０５までの部分であり、前後方向においては鎖骨１０６から図示はしないが肩甲骨までの部分である。体格によるが、一般には、鎖骨１０６の直ぐ後側には窪み１０７が存在し、窪み１０７の後側には肩上部１０１ａが存在する。首１０５の上側の部分である顔１０８の耳１０９、１０９はそれぞれ肩１０１、１０１の近くにおいて肩１０１、１０１の上方に存在する。
【００５４】
人体１００においては、付け根部分１０４から腕１０２の上腕部付近に三角筋１１０と称される筋肉が存在し、三角筋１１０より首１０５側には背中の上部から肩１０１までの付近に僧帽筋１１１と称される筋肉が存在する。従って、僧帽筋１１１の上部付近が肩上部１０１ａに相当する部分である。
【００５５】
＜衣服とシートとホルダー＞
次に、衣服とシートとホルダーについて説明する（図２乃至図４参照）。
【００５６】
衣服２００は、例えば、スポーツウエアとして人体１００に纏われる（図２及び図３参照）。衣服２００は肩１０１、１０１に相当する部分がそれぞれ肩部２０１、２０１として設けられている。衣服２００には首１０５の下部に相当する襟部２０２が設けられ、肩部２０１、２０１と襟部２０２の境界線が継ぎ目２０３、２０３として形成されている。
【００５７】
肩部２０１、２０１にはそれぞれシート３００、３００が貼り付けられている。シート３００は、例えば、一端が継ぎ目２０３に一致する位置に貼り付けられている。シート３００には図示しない取付孔が形成されている。
【００５８】
シート３００にはホルダー４００が取り付けられている。ホルダー４００は略上方に開口する浅い凹状に形成された配置部４０１と配置部４０１の開口４０１ａから外方に張り出されたフランジ状の接合部４０２とを有し、配置部４０１がシート３００の取付孔に上側から挿入された状態で接合部４０２がシート３００に接合されている。
【００５９】
配置部４０１の内部空間は挿入空間４０１ｂとして形成されている（図４参照）。配置部４０１の底面部４０３は、例えば、平面状に形成され、配置部４０１の周面部４０４は、例えば、底面部４０３から離隔するに従って径が大きくなる緩やかな曲面状に形成されている。配置部４０１における底面部４０３には内部に磁性金属板４０５が取り付けられている。
【００６０】
ホルダー４００は衣服２００が人体１００に纏われた状態において、肩１０１の上側、特に、肩上部１０１ａの上側に位置される。
【００６１】
＜音響出力装置の構成＞
次いで、音響出力装置１の構成について説明する（図２乃至図１０参照）。
【００６２】
音響出力装置１は、例えば、一対で使用され、一方の音響出力装置１が左用として使用され他方の音響出力装置１が右用として使用される（図２及び図３参照）。但し、一つの音響出力装置１を使用して音声の聞き取りが行われてもよい。
【００６３】
音響出力装置１、１はそれぞれホルダー４００、４００の配置部４０１、４０１に挿入されて配置される。音響出力装置１は下端側の部分が配置部４０１に挿入され、挿入された部分の外面が底面部４０３と周面部４０４に接し又は近接した状態にされる（図４参照）。
【００６４】
音響出力装置１は外筐２の内部に所要の各部が配置されて構成されている（図５乃至図９参照）。外筐２はカバー体３とケース体４と保護ラバー５を有している。カバー体３とケース体４は、例えば、樹脂材料によって形成され、保護ラバー５は、例えば、シリコン材料によって形成されている。
【００６５】
カバー体３は全体として下方に開口された凹状に形成され、上下方向を向く平面部６と平面部６の外周に連続された曲面部７と平面部６から下方に突出された結合用突部８と平面部６から下方に突出された押さえ用突部９、９、・・・とを有している。カバー体３には曲面部７の前端部に連続する孔形成部１０が設けられ、孔形成部１０は平面部６及び曲面部７より厚みが厚くされている。
【００６６】
カバー体３の外周面部は平面部６と平面部６の外周に連続された曲面部７とによって構成されているため、角張った部分が存在しない形状に形成されている。
【００６７】
孔形成部１０と孔形成部１０に連続する曲面部７に亘る位置には音声放出孔１１、１１、・・・が形成されている。音声放出孔１１、１１、・・・は上下左右に並んで形成され、前方へ行くに従って上方へ変位するように傾斜されている（図９参照）。音声放出孔１１の外側の開口は音声が放出される放出口１１ａとされている。
【００６８】
平面部６には釦配置孔６ａと部材挿通孔６ｂが左右に離隔して形成されている（図５乃至図８参照）。平面部６の上面側には、釦配置孔６ａと部材挿通孔６ｂが形成された領域に浅いシート配置凹部６ｃが形成されている。
【００６９】
曲面部７における前端部の外面側には座繰り部１２が形成され、座繰り部１２によって曲面部７は前端部の厚みが他の部分の厚みより薄くされている（図６、図７及び図９参照）。曲面部７における前端部の音声放出孔１１、１１、・・・が形成された領域には、浅いシート配置凹部７ａが形成されている。
【００７０】
ケース体４は全体として上方に開口された浅い凹状に形成され、上下方向を向く平面板部１３と平面板部１３の外周に連続された曲面板部１４と平面板部１３から上方に突出された結合用突部１５と平面板部１３から上方に突出された配置用突部１６、１６、１６とを有している（図７乃至図９参照）。
【００７１】
結合用突部１５はカバー体３に設けられた結合用突部８と上下で結合される部分であり、壁状に形成されている。結合用突部１５には左右方向における中間部に前後方向を向く壁状部１５ａが設けられ、壁状部１５ａは結合用突部１５において高さが最も高くされている。
【００７２】
壁状部１５ａの前面からは位置決め突部１７、１７が前方に突出されている。位置決め突部１７、１７は左右に離隔して設けられ、前面側にそれぞれ位置決め用の傾斜段差部１７ａ、１７ａを有している。傾斜段差部１７ａ、１７ａは左右方向において互いに近付くに従って下方に変位するように傾斜されている。
【００７３】
結合用突部１５の壁状部１５ａには挿通用スリット１５ｂが形成されている（図９参照）。挿通用スリット１５ｂは壁状部１５ａにおける下端部の前面から上端部の後面に亘る位置に形成され、中間部分が壁状部１５ａを上下に貫通するように形成されている。
【００７４】
配置用突部１６、１６、１６は平面板部１３における左右の一端部から上方に突出され、曲面板部１４の内周面に沿って並んで設けられている。配置用突部１６、１６、１６の上面は平面板部１３の左右方向における中央に近付くに従って上方に変位する傾斜配置面１６ａ、１６ａ、１６ａとして形成されている。
【００７５】
ケース体４の外周面部は平面板部１３と平面板部１３の外周に連続された曲面板部１４とによって構成されているため、角張った部分が存在しない形状に形成されている。
【００７６】
平面板部１３における左右の一端部からは位置決めピン１８、１８が上方に突出され、位置決めピン１８、１８は前後に離隔して位置されている。平面板部１３には位置決めピン１８、１８の側方に図示しない端子挿通孔がそれぞれ形成されている。
【００７７】
最も後側に位置された配置用突部１６の近傍にはマイク取付部１９が設けられ、マイク取付部１９は平面板部１３から上方に突出されている（図７参照）。
【００７８】
ケース体４には、左右方向における一端部に周状の第１のマグネット取付部２０が設けられ、左右方向における他端部に下方に開口された凹状の第２のマグネット取付部２１が設けられている（図７及び図８参照）。第１のマグネット取付部２０は平面板部１３の上面側に設けられ、第２のマグネット取付部２１は平面板部１３の下面側に設けられている。
【００７９】
保護ラバー５は上下方向を向く平面部２２と平面部２２の外周に連続された第１の曲面部２３と第１の曲面部２３の上縁に連続された第２の曲面部２４とから成る（図６及び図７参照）。
【００８０】
平面部２２はケース体４の平面板部１３を下方から覆う部分であり、形状及び大きさが平面板部１３と略同じに形成されている。平面部２２には左右の一端部に挿通孔２２ａ、２２ａが前後に離隔して形成されている。
【００８１】
第１の曲面部２３はケース体４の曲面板部１４を外方から覆う部分であり、形状及び大きさが曲面板部１４と略同じに形成されている。
【００８２】
第２の曲面部２４はカバー体３における曲面部７の座繰り部１２が形成された部分を外方から覆う部分であり、形状及び大きさが曲面部７の座繰り部１２が形成された部分と略同じに形成されている。第２の曲面部２４には放音孔２５、２５、・・・が形成され、放音孔２５、２５、・・・は、例えば、上下左右に並んで横長の形状に形成されている。
【００８３】
上記のように構成されたカバー体３とケース体４は、曲面部７の下端部と曲面板部１４の上端部が突き当てられると共に結合用突部８の下端部と結合用突部１５の上端部が突き当てられ、上下で結合される（図８及び図９参照）。カバー体３とケース体４が結合されることにより内部に空間が形成され、この空間が配置空間２６とされる。曲面部７と曲面板部１４は、例えば、接着により固定され、接着されることにより配置空間２６に対する防水が図られる。
【００８４】
カバー体３とケース体４が結合された状態においては、結合用突部８と結合用突部１５によって配置空間２６が前後に仕切られ、配置空間２６の仕切られた各空間がそれぞれ前側空間２６ａと後側空間２６ｂとして形成される。
【００８５】
カバー体３の平面部６に形成されたシート配置凹部６ｃにはシリコン製の防水シート２７が配置され、カバー体３の曲面部７に形成されたシート配置凹部７ａにはメッシュ状の防塵シート２８が配置される。
【００８６】
シート配置凹部６ｃに防水シート２７が配置されることにより、カバー体３の釦配置孔６ａと部材挿通孔６ｂからの配置空間２６への水分の侵入が防止される。シート配置凹部７ａに防塵シート２８が配置されることにより、カバー体３の音声放出孔１１、１１、・・・からの配置空間２６への塵埃の侵入が防止される。
【００８７】
カバー体３とケース体４が結合された状態において、カバー体３とケース体４に保護ラバー５が密着された状態で取り付けられる。カバー体３とケース体４に保護ラバー５が取り付けられた状態において、ケース体４の平面板部１３が平面部２２によって下方から覆われ、ケース体４の曲面板部１４が第１の曲面部２３によって外方から覆われ、カバー体３における曲面部７の座繰り部１２が形成された部分が第２の曲面部２４によって外方から覆われる。
【００８８】
カバー体３における座繰り部１２が形成されていない部分には、例えば、衣服２００と同様の布製の素材によって形成された保護カバー２９が貼り付けられている。
【００８９】
保護カバー２９が貼り付けられたカバー体３とケース体４が結合され、上記したように、カバー体３とケース体４に保護ラバー５が取り付けられることにより外筐２が構成され、外筐２においては、保護ラバー６の外面と保護カバー２９の外面とが連続する同一面上に位置される。
【００９０】
外筐２は外面部が平面部６又は平面部２２と曲面部７又は曲面部２３が連続することにより形成されるため、外筐２の外面に角張った部分が形成されず、音響出力装置１を把持したときに違和感が生じ難く、音響出力装置１における良好な把持性を確保することができる。
【００９１】
外筐２の後側空間２６ｂにはバッテリー３０が配置されている（図６乃至図９参照）。バッテリー３０は、例えば、扁平な略直方体状に形成され、厚み方向が上下方向に一致され長手方向が左右方向に一致される向きで後側空間２６ｂに配置されている。
【００９２】
外筐２の後側空間２６ｂには配置用板金３１の一部を除いた部分が配置されている。配置用板金３１は所定の形状に折り曲げられて形成され、バッテリー３０の上面に載置されたベース部３１ａとベース部３１ａの左右方向における一端部から上方に突出された連結部３１ｂと連結部３１ｂから側方に突出された係合部３１ｃとを有している。
【００９３】
配置用板金３１は、連結部３１ｂがカバー体３の部材挿通孔６ｂを挿通され、係合部３１ｃがカバー体３の上面におけるシート配置凹部６ｃが形成された部分に係合される。配置用板金３１はカバー体３の押さえ用突部９、９、・・・によって上方から押さえられ、例えば、図示しない絶縁シートを介してバッテリー３０の上面に押し付けられる。
【００９４】
配置用板金３１におけるベース部３１ａの上面にはスイッチ用回路基板３２が配置され、スイッチ用回路基板３２上にはスイッチ３３が搭載されている。
【００９５】
カバー体３の釦配置孔６ａには操作釦３４が配置され、操作釦３４は円板状の被押圧部３４ａと一端部が被押圧部３４ａにそれぞれ連続されたバネ部３４ｂ、３４ｂとを有している（図５乃至図９参照）。
【００９６】
操作釦３４は、例えば、カバー体３の平面部６と一体に形成され、バネ部３４ｂ、３４ｂの他端部が平面部６における釦配置孔６ａの周面に連続されている。
【００９７】
操作釦３４においては、被押圧部３４ａが押圧操作されるとバネ部３４ｂ、３４ｂが被押圧部３４ａと平面部６に対して弾性変形され、被押圧部３４ａに対する押圧操作が解除されるとバネ部３４ｂ、３４ｂが弾性復帰して被押圧部３４ａが押圧操作前の元の位置に戻る。被押圧部３４ａが押圧操作されたときには、被押圧部３４ａによってスイッチ３３が押圧されて各種のモード等が設定される。
【００９８】
例えば、操作釦３４が操作されることにより、電源のオンオフ、音声の出力モードの設定、音声の出力の停止モードの設定等が行われる。このような設定は、操作釦３４に対する操作回数や操作釦３４に対する長押しや短押し等の操作状態に応じて行われる。
【００９９】
操作釦３４と配置用板金３１の係合部３１ｃとは防水シート２７によって覆われ、防水シート２７は保護カバー２９によって覆われる。尚、操作釦３４が防水シート２７と保護カバー２９によって覆われた状態においては、操作釦３４の位置が視認できなくなる可能性があるが、操作釦３４の位置は、例えば、保護カバー２９における操作釦３４が位置する部分に目印を付すことにより保護カバー２９の外側から認識することが可能である。
【０１００】
このように操作部３４と配置用板金３１の一部とが布製の保護カバー２９によって覆われることにより、操作部３４と配置用板金３１が露出されず、音響出力装置１の意匠性の向上を図ることができる。
【０１０１】
また、保護カバー２９が布製にされることにより、音響出力装置１が衣服２００に配置された状態において音響出力装置１が目立ち難く衣服２００との一体感が生じるため、音響出力装置１が配置された衣服２００を身に付けた状態において良好なファッション性を確保することができる。
【０１０２】
外筐２の後側空間２６ｂにはマイクロフォン３５とメイン回路基板３６とサブ回路基板３７が配置されている（図７及び図８参照）。
【０１０３】
マイクロフォン３５はカバー体３のマイク取付部１９に取り付けられて配置されている。音響出力装置１にマイクロフォン３５が設けられることにより、使用者の音声を入力することが可能になる。
【０１０４】
メイン回路基板３６は音響出力装置１における音声の出力に関する制御等を行う機能を有し、一部がカバー体３の配置用突部１６、１６、１６に載置されることにより後側空間２６ｂに配置されている。
【０１０５】
このとき配置用突部１６、１６、１６の上面が傾斜配置面１６ａ、１６ａ、１６ａとして形成されているため、メイン回路基板３６は左右方向において傾斜された状態で後側空間２６ｂに配置される。メイン回路基板３６は一部がカバー体３の押さえ用突部９によって上側から押さえられている。
【０１０６】
サブ回路基板３７は音響出力装置１における充電に関する制御を行う機能を有している。サブ回路基板３７には位置決め孔３７ａ、３７ａが前後に離隔して形成されている。サブ回路基板３７には充電用端子３８、３８が前後に離隔して接続され、充電用端子３８、３８はサブ回路基板３７から下方に突出されている。
【０１０７】
サブ回路基板３７は位置決め孔３７ａ、３７ａにそれぞれ位置決めピン１８、１８が下方から挿入されることによりカバー体３に位置決めされ、メイン回路基板３６の真下に配置されている。サブ回路基板３７に接続された充電用端子３８、３８はそれぞれカバー体３の端子挿通孔を挿通され、下端部が保護ラバー５の挿通孔２２ａ、２２ａ付近に位置されている。
【０１０８】
音響出力装置１が図示しない充電機器に接続されたときには、充電機器の接続端子がそれぞれ充電用端子３８、３８に接続され、充電用端子３８、３８及びサブ回路基板３７によってバッテリー３０に対する充電が行われる。
【０１０９】
上記したスイッチ用回路基板３２とメイン回路基板３６とサブ回路基板３７は何れもバッテリー３０に接続され、バッテリー３０から電源の供給を受ける。また、マイクロフォン３５はメイン回路基板３６に接続され、メイン回路基板３６によって制御されると共にメイン回路基板３６を介してバッテリー３０から電源の供給を受ける。
【０１１０】
外筐２の前側空間２６ａにはスピーカー３９が配置されている（図７及び図９参照）。スピーカー３９は、例えば、扁平な略直方体状に形成され、厚み方向が前後方向に一致され幅方向が上下方向に一致される向きで前側空間２６ａに配置されている。
【０１１１】
スピーカー３９の後面側には図示しない一対の傾斜突部が左右に離隔して形成され、スピーカー３９は一対の傾斜突部がそれぞれ傾斜段差部１７ａ、１７ａに係合されることにより位置決め突部１７、１７に位置決めされる。
【０１１２】
スピーカー３９は幅方向が長さ方向より小さくされており、長さ方向において位置決め突部１７、１７によってカバー体３に対して位置決めされ、前面が孔形成部１０の後面に接し、横長の状態で前側空間２６ａに配置されている。スピーカー３９は上面がカバー体３の押さえ用突部９によって上側から押さえられている。
【０１１３】
スピーカー３９とバッテリー３０はフレキシブルプリント配線板４０によって接続され、フレキシブルプリント配線板４０は壁状部１５ａに形成された挿通用スリット１５ｂを挿通されている。フレキシブルプリント配線板４０における壁状部１５ａの前側に位置された部分には図示しない一対の傾斜縁が左右に離隔して形成され、フレキシブルプリント配線板４０は一対の傾斜縁がそれぞれ傾斜段差部１７ａ、１７ａに係合されることにより位置決め突部１７、１７に位置決めされる。
【０１１４】
ケース体４の第１のマグネット取付部２０と第２のマグネット取付部２１にはそれぞれ第１のマグネット４１と第２のマグネット４２が取り付けられている。従って、第１のマグネット４１と第２のマグネット４２はそれぞれ外筐２の左右両端部に配置されている。
【０１１５】
音響出力装置１においては、第１のマグネット４１が後側空間２６ｂに配置され第２のマグネット４２がケース体４の下面側に配置されているため、前側空間２６ａに配置されたスピーカー３９に対する第１のマグネット４１と第２のマグネット４２の磁力の影響が及び難くされている。また、第１のマグネット４１と第２のマグネット４２が外筐２の長手方向において離隔して配置され、スピーカー３９が外筐２の長手方向における略中央部に配置されているため、スピーカー３９に対する第１のマグネット４１と第２のマグネット４２の磁力の影響が一層及び難くされている。
【０１１６】
従って、スピーカー３９が第１のマグネット４１と第２のマグネット４２の磁力の影響を受け難く、スピーカー３９の良好な動作状態を確保することができる。
【０１１７】
上記のように構成された音響出力装置１は、左右方向において非対称な形状に形成され、前後幅の最大の部分は左右方向において首１０５側に位置される半部に存在し、前後幅の最大の部分を基準として左右方向において首１０５から離隔するに従って前後幅が小さくなる形状に形成されている（図２、図３及び図５参照）。
【０１１８】
また、左用の音響出力装置１と右用の音響出力装置１は左右対称な向きでホルダー４００に装着される（図２及び図３参照）。左用の音響出力装置１においては、前後幅の最大の部分が右側の半部に存在し前後幅の最大の部分を基準として左方へ行くに従って前後幅が小さくされ、右用の音響出力装置１においては、前後幅の最大の部分が左側の半部に存在し前後幅の最大の部分を基準として右方へ行くに従って前後幅が小さくされている。
【０１１９】
音響出力装置１は上記のような形状に形成されており、厚み方向が上下方向にされ、幅方向が前後方向にされ、長さ方向が左右方向にされ、厚み方向における大きさが幅方向の大きさより小さくされ、幅方向における大きさが長さ方向における大きさより小さくされている。
【０１２０】
上記したように、音響出力装置１にあっては、配置空間２６にバッテリー３０が配置され、バッテリー３０の厚み方向が外筐２の厚み方向に一致されている。
【０１２１】
従って、バッテリー３０は厚み方向が外筐２の厚み方向に一致された状態で配置空間２６に配置されるため、配置空間２６の配置スペースの有効活用を図り大きなバッテリー３０を配置空間２６に配置することが可能になり、バッテリー３０の十分な容量を確保した上で音響出力装置１の薄型化を図ることができる。
【０１２２】
また、配置空間２６に複数の回路基板、即ち、スイッチ用回路基板３２、メイン回路基板３６及びサブ回路基板３７が配置され、少なくとも一つの回路基板、例えば、スイッチ用回路基板３２とサブ回路基板３７の厚み方向が外筐２の厚み方向に一致されている。
【０１２３】
従って、少なくとも一つの回路基板は厚み方向が外筐２の厚み方向に一致された状態で配置空間２６に配置されるため、少なくとも一つの回路基板とバッテリー３０の厚み方向が一致され、音響出力装置１の一層の薄型化を図ることができる。
【０１２４】
さらに、メイン回路基板３６が外筐２の厚み方向に対して傾斜した状態で配置されている。
【０１２５】
従って、メイン回路基板３６は厚み方向が外筐２の厚み方向に対して異なる方向にされた状態で配置空間２６に配置されるため、外筐２の厚み方向と厚み方向に直交する方向における大きさの２方向の大きさが過度に大きくなることがなく、音響出力装置１の小型化を図ることができる。
【０１２６】
さらにまた、少なくとも一つの回路基板、例えば、メイン回路基板３６及びサブ回路基板３７とバッテリー３０とスピーカー３９が外筐２の厚み方向に直交する方向において離隔して配置されている（図１０参照）。
【０１２７】
従って、少なくとも一つの回路基板であるメイン回路基板３６及びサブ回路基板３７とバッテリー３０とスピーカー３９が外筐２の厚み方向において重ならない状態で配置されるため、音響出力装置１のより一層の薄型化を図ることができる。
【０１２８】
＜音響出力装置のホルダーに対する着脱＞
上記のように構成された音響出力装置１は、衣服２００に取り付けられたホルダー４００に着脱可能にされている（図２及び図３参照）。
【０１２９】
音響出力装置１のホルダー４００への装着は、音響出力装置１を上方から配置部４０１の挿入空間４０１ａに挿入することにより行うことができる（図３及び図４参照）。このとき音響出力装置１は第１のマグネット４１と第２のマグネット４２にホルダー４００の磁性金属板４０５が吸着される。
【０１３０】
音響出力装置１が配置部４０１に配置された状態において操作釦３４を操作することにより、スピーカー３９から音声を出力して外筐２の音声放出孔１１、１１、・・・及び放音孔２５、２５、・・・を介して外部に音声を放出することができる。放出された音声は耳１０９、１０９へ向かい、耳１０９、１０９に対する良好な音場環境が形成される。
【０１３１】
尚、上記には、音響出力装置１にマグネット（第１のマグネット４１と第２のマグネット４２）が配置されホルダー４００に磁性金属板４０５が配置された例を示したが、逆に、音響出力装置１に磁性金属板が配置されホルダー４００にマグネットが配置されていてもよい。
【０１３２】
このように音響出力装置１にあっては、外筐２とホルダー４００の一方にマグネットが取り付けられ他方に磁性金属板が取り付けられ、マグネットの磁性金属板に対する吸着力により音響出力装置１がホルダー４００に装着される。
【０１３３】
従って、マグネットと磁性金属板が近付くことにより音響出力装置１がホルダー４００に装着され、マグネットと磁性金属板が離れることにより音響出力装置１がホルダー４００から取り外されるため、音響出力装置１のホルダー４００に対する着脱を容易かつ確実に行うことができる。
【０１３４】
また、マグネットが外筐２に取り付けられている場合には、音響出力装置１がホルダー４００に装着されていない状態においては衣服２００側にマグネットが存在しないため、マグネットの人体１００への影響を抑制することができる。特に、磁力の影響を及ぼしたくないような医療機器等を身に付けている場合には、衣服２００側にマグネットが存在しないようにする構成が、より好ましい。
【０１３５】
さらに、外筐２が長手方向（左右方向）と短手方向を有する形状に形成されており、複数のマグネットである第１のマグネット４１と第２のマグネット４２が外筐２の長手方向に離隔して設けられている。
【０１３６】
従って、外筐２の長手方向に離隔して配置された第１のマグネット４１と第２のマグネット４２に磁性金属板４０５が吸着されることにより音響出力装置１がホルダー４００に装着されるため、音響出力装置１のホルダー４００に対する安定した保持状態を確保することができる。
【０１３７】
さらにまた、ホルダー４００に対する音響出力装置１の着脱方向が音響出力装置１の厚み方向にされ、音響出力装置１は、厚み方向に直交する２方向がそれぞれ長さ方向及び幅方向にされ、厚み方向における大きさが長さ方向及び幅方向における大きさより小さくされている。
【０１３８】
従って、着脱方向に一致する厚み方向の大きさが長さ方向及び幅方向における大きさより小さいため、音響出力装置１の薄型化を図ることができる。
【０１３９】
また、音響出力装置１は左右方向において非対称な形状に形成されているため、形状によってホルダー４００に装着する向きを認識することが可能になり、ホルダー４００に対する誤装着を防止することができる。
【０１４０】
さらに、左用の音響出力装置１と右用の音響出力装置１において左右対称な向きでそれぞれホルダー４００、４００に装着される（図２及び図３参照）。
【０１４１】
従って、向きによって左右の何れかのホルダー４００に装着される音響出力装置１であるかを認識することが可能になり、左用の音響出力装置１を右側のホルダー４００に装着し右用の音響出力装置１を左側のホルダー４００に装着すると言う左右の誤装着を防止することができる。
【０１４２】
上記のように音響出力装置１がホルダー４００に装着された状態において、音響出力装置１は肩１０１の上側に配置される。
【０１４３】
肩１０１は身体を動かしたときに大きく変位しない部分であると共に耳１０９に近い部分であるため、音響出力装置１をホルダー４００から脱落し難くすることができると共に耳１０９に対する良好な音場環境を形成することができる。特に、ランニング等のスポーツを行っている場合のような動作の大きな運動状態においても音響出力装置１の安定した使用状態を確保することができる。
【０１４４】
また、音響出力装置１がホルダー４００に配置された状態において、音響出力装置１は鎖骨１０６の後側に位置する窪み１０７の後側である肩上部１０１ａに配置されている。
【０１４５】
従って、音響出力装置１が鎖骨１０６の後側に位置する窪み１０７の上側に配置されないため、配置された状態において向きが変化し難く、音声放出孔１１、１１、・・・からの音声の放出方向が変化し難く、音声の安定した放出状態を確保することができる。
【０１４６】
音響出力装置１がホルダー４００に配置された状態においては、音響出力装置１の一部、例えば、下側の半部が挿入空間４０１ｂに挿入される。従って、カバー体３に形成された音声放出孔１１、１１、・・・と保護ラバー５に形成された放音孔２５、２５、・・・がホルダー４００によって閉塞されず、放出口１１ａ、１１ａ、・・・が配置部４０１の外側に位置されている。
【０１４７】
このように音響出力装置１は配置部４０１に挿入された状態において音声放出孔１１の放出口１１ａが配置部４０１の外側に位置されている。
【０１４８】
従って、音響出力装置１が配置部４０１に挿入された状態において音声放出孔１１の放出口１１ａがホルダー４００によって閉塞されないため、スピーカー３９から出力される音声を外部に確実に放出することができる。
【０１４９】
音響出力装置１のホルダー４００からの取出は、音響出力装置１を把持して第１のマグネット４１と第２のマグネット４２の磁性金属板４０５に対する吸着力より大きな力で配置部４０１の挿入空間４０１ａから上方に引き出すことにより行うことができる。
【０１５０】
＜まとめ＞
以上に記載した通り、音響出力装置１にあっては、音声放出孔１１、１１、・・・を有し内部空間が配置空間２６として形成された外筐２と、配置空間２６に配置され音声放出孔１１、１１、・・・を介して外部へ向けて音声を出力するスピーカー３９とを備え、衣服２００に取り付けられたホルダー４００に着脱可能にされている。
【０１５１】
従って、衣服２００を洗濯する場合に、音響出力装置１を衣服２００から取り外して行うことができ、音響出力装置１が洗濯時の衝撃等によって故障したり破損したりするおそれがない。また、音響出力装置１に対するメンテナンスを行う場合にも、音響出力装置１を衣服２００から取り外して行うことができ、メンテナンス作業における作業性の向上が図られる。
【０１５２】
このように音響出力装置１は、必要に応じて衣服２００に取り付けられたホルダー４００に着脱することが可能であり、不使用時やメンテナンス時には音響出力装置１をホルダー４００から取り外すことができ、故障や破損が生じ難く、メンテナンス作業における作業性の向上も図られ、使い勝手の向上を図ることができる。
【０１５３】
また、音響出力装置１はホルダー４００に対して上下方向において着脱可能にされているため、手を上下に動かしてホルダー４００に対する音響出力装置１の肩１０１に対する着脱を行うことが可能になり、音響出力装置１の着脱を視認可能な範囲において容易に行うことができる。尚、音響出力装置１は肩１０１に限らず、例えば、ホルダーに配置された状態において腕１０２や首１０５や胴体１０３に相当する位置に位置されてもよい。
【０１５４】
さらに、ホルダー４００に配置部４０１が形成され、音響出力装置１は配置部４０１に一部が挿入された状態で配置される。
【０１５５】
従って、一部が配置部４０１に挿入された状態で音響出力装置１がホルダー４００に装着されるため、音響出力装置１のホルダー４００への装着を高い位置精度で行うことができると共にホルダー４００から音響出力装置１を脱落し難くすることができる。
【０１５６】
さらにまた、音声放出孔１１、１１、・・・が外筐２の厚み方向及び厚み方向に直交する方向に対してともに傾斜されている。
【０１５７】
従って、音声放出孔１１、１１、・・・における放出口１１ａ、１１ａ、・・・の外筐２に対する位置を任意の位置にすることが可能になり、音響出力装置１の設計の自由度の向上を図ることができると共に音声の放出方向を所望の方向にすることができる。
【０１５８】
＜その他＞
上記には、凹状に形成された配置部４０１と配置部４０１の開口４０１ａから外方に張り出されたフランジ状の接合部４０２とを有するホルダー４００を例として示したが、例えば、ホルダー４００に代えてホルダー４００Ａが用いられてもよい（図１１及び図１２参照）。
【０１５９】
ホルダー４００Ａには配置部４０１と接合部４０２に加え、接合部４０２に連続する押さえ部４０６が設けられている。押さえ部４０６は下端部が接合部４０２の一部に連続され配置部４０１の一部を上方から覆う曲面状に形成されている。
【０１６０】
音響出力装置１のホルダー４００Ａへの装着は、音響出力装置１をシート３００に沿って略左右方向へスライドして配置部４０１の挿入空間４０１ａに挿入することにより行うことができる。このとき音響出力装置１は第１のマグネット４１と第２のマグネット４２にホルダー４００の磁性金属板４０５が吸着され、外筐２の一部が押さえ部４０６によって上方から押さえられる。
【０１６１】
音響出力装置１のホルダー４００Ａからの取出は、音響出力装置１を把持して第１のマグネット４１と第２のマグネット４２の磁性金属板４０５に対する吸着力より大きな力で側方へスライドして配置部４０１の挿入空間４０１ａから側方に引き出すことにより行うことができる。
【０１６２】
このようにホルダー４００Ａには外筐２を配置部４０１の開口方向と反対方向から押さえる押さえ部４０６が設けられている。
【０１６３】
従って、音響出力装置１が配置部４０１に挿入されると共に外筐２が押さえ部４０６によって配置部４０１の開口方向と反対方向から押さえられた状態でホルダー４００Ａに装着されるため、音響出力装置１のホルダー４００Ａに対する安定した装着状態を確保することができる。
【０１６４】
＜本技術＞
本技術は、以下のような構成にすることができる。
【０１６５】
（１）
音声放出孔を有し内部空間が配置空間として形成された外筐と、
前記配置空間に配置され前記音声放出孔を介して外部へ向けて音声を出力するスピーカーとを備え、
衣服に取り付けられたホルダーに着脱可能にされた
音響出力装置。
【０１６６】
（２）
前記ホルダーに装着された状態において肩の上側に配置される
前記（１）に記載の音響出力装置。
【０１６７】
（３）
鎖骨の後側に位置する窪みの後側に配置される
前記（２）に記載の音響出力装置。
【０１６８】
（４）
前記ホルダーに対して上下方向において着脱可能にされた
前記（２）又は前記（３）に記載の音響出力装置。
【０１６９】
（５）
前記ホルダーに凹状の配置部が形成され、
前記配置部に一部が挿入された状態で配置される
前記（１）から前記（４）の何れかに記載の音響出力装置。
【０１７０】
（６）
前記配置部に挿入された状態において前記音声放出孔の放出口が前記配置部の外側に位置される
前記（５）に記載の音響出力装置。
【０１７１】
（７）
前記ホルダーに前記外筐を前記配置部の開口方向と反対方向から押さえる押さえ部が設けられた
前記（５）又は前記（６）に記載の音響出力装置。
【０１７２】
（８）
左右方向において非対称な形状に形成された
前記（１）から前記（７）の何れかに記載の音響出力装置。
【０１７３】
（９）
左用と右用の一対が設けられ、
左用と右用において左右対称な向きで前記ホルダーに装着される
前記（８）に記載の音響出力装置。
【０１７４】
（１０）
前記外筐の外面部が平面部と前記平面部の外周に連続する曲面部とによって構成された
前記（１）から前記（９）の何れかに記載の音響出力装置。
【０１７５】
（１１）
前記外筐と前記ホルダーの一方にマグネットが取り付けられ他方に磁性金属板が取り付けられ、
前記磁性金属板が前記マグネットに吸着された状態で前記ホルダーに装着される
前記（１）から前記（１０）の何れかに記載の音響出力装置。
【０１７６】
（１２）
前記マグネットが前記外筐に取り付けられ、
前記磁性金属板が前記ホルダーに取り付けられた
前記（１１）に記載の音響出力装置。
【０１７７】
（１３）
前記外筐が長手方向と短手方向を有する形状に形成され、
前記マグネットが前記外筐の長手方向に離隔して複数設けられた
前記（１２）に記載の音響出力装置。
【０１７８】
（１４）
前記ホルダーに対する着脱方向が厚み方向にされ、
厚み方向に直交する２方向がそれぞれ長さ方向及び幅方向にされ、
厚み方向における大きさが長さ方向及び幅方向における大きさより小さくされた
前記（１）から前記（１３）の何れかに記載の音響出力装置。
【０１７９】
（１５）
前記配置空間にバッテリーが配置され、
前記バッテリーの厚み方向が前記外筐の厚み方向に一致された
前記（１）から前記（１４）の何れかに記載の音響出力装置。
【０１８０】
（１６）
前記配置空間に複数の回路基板が配置され、
少なくとも一つの前記回路基板の厚み方向が前記外筐の厚み方向に一致された
前記（１５）に記載の音響出力装置。
【０１８１】
（１７）
一つの前記回路基板が前記外筐の厚み方向に対して傾斜した状態で配置された
前記（１６）に記載の音響出力装置。
【０１８２】
（１８）
少なくとも一つの前記回路基板と前記バッテリーと前記スピーカーとが前記外筐の厚み方向に直交する方向において離隔して配置された
前記（１６）又は前記（１７）に記載の音響出力装置。
【０１８３】
（１９）
前記音声放出孔が前記外筐の厚み方向及び厚み方向に直交する方向に対してともに傾斜された
前記（１）から前記（１８）の何れかに記載の音響出力装置。
【０１８４】
（２）
前記外筐に釦配置孔が形成され、
前記釦配置孔に操作部が配置され、
前記外筐における表面の少なくとも一部に布製の保護カバーが貼り付けられ、
前記操作部が前記保護カバーによって覆われた
前記（１）から前記（１９）の何れかに記載の音響出力装置。
【符号の説明】
【０１８５】
１０１…肩、１０６…鎖骨、１０７…窪み、２００…衣服、４００…ホルダー、４０１…配置部、４０５…磁性金属板、１…音響出力装置、２…外筐、６…平面部、７…曲面部、１１…音声放出孔、１１ａ…放出口、２２…平面部、２３…第１の曲面部、２４…第２の曲面部、２６…配置空間、２９…保護カバー、３０…バッテリー、３２…スイッチ用サブ回路基板、３４…操作釦、３６…メインサブ回路基板、３７…サブ回路基板、３９…スピーカー、４１…第１のマグネット、４２…第２のマグネット、４００Ａ…ホルダー、４０６…押さえ部
【図１】
2020162041.tif 000003
【図２】
2020162041.tif 000004
【図３】
2020162041.tif 000005
【図４】
2020162041.tif 000006
【図５】
2020162041.tif 000007
【図６】
2020162041.tif 000008
【図７】
2020162041.tif 000009
【図８】
2020162041.tif 000010
【図９】
2020162041.tif 000011
【図１０】
2020162041.tif 000012
【図１１】
2020162041.tif 000013
【図１２】
2020162041.tif 000014
【国際調査報告】
2020162041.tif 000015
2020162041.tif 000016
2020162041.tif 000017
2020162041.tif 000018
2020162041.tif 000019